(57)【要約】      （修正有）【課題】ワンタッチで行える簡素な作業で、複数の釣竿を誰でも簡便かつ確実に束ねて持ち運ぶことができ、取扱いが容易で、固定作業性に優れ、釣竿の保持力が強く、固定作業中や搬送中に釣竿が脱落せず、固定の確実性、安定性、釣竿の搬送性に優れた釣竿保持具を提供する。【解決手段】同心円上に穿設されロッドが嵌合される複数の嵌合孔部３と、各々の嵌合孔部と連通して放射状に形設され保持体の外周端面に開口したスリット状の挿通部４と、を有する保持体２と、該保持体の上面に配設される天板部１０と、保持体の挿通部の位置に対応して天板部の外周端から保持体の嵌合孔部の位置まで保持体の挿通部と平行に形設された上部切り欠き部１０ａと、上部切り欠き部の終端から天板部の円周方向に延設された係合溝部１０ｂと、を有し、保持体に回動自在に覆設されたカバー部８と、を備える。【選択図】図１
0003159100.tif 000002
【実用新案登録請求の範囲】
【請求項１】
複数の釣竿のロッドを着脱自在に保持する釣竿保持具であって、
弾性を有する保持体と、前記保持体の中心に挿設された回動軸と、前記保持体に覆設され前記回動軸に回動自在に軸支されたカバー部と、を有し、
前記保持体が、同心円上に穿設され前記ロッドが嵌合される複数の嵌合孔部と、各々の前記嵌合孔部と連通して放射状に形設され前記保持体の外周端面に開口したスリット状の挿通部と、を備え、
前記カバー部が、前記保持体の上面に配設される天板部と、前記保持体の前記挿通部の位置に対応して前記天板部の外周端から前記保持体の前記嵌合孔部の位置まで前記保持体の前記挿通部と平行に形設された上部切り欠き部と、前記保持体の前記嵌合孔部の位置に対応する前記上部切り欠き部の終端から前記天板部の円周方向に延設された係合溝部と、を備えたことを特徴とする釣竿保持具。
【請求項２】
前記カバー部が、前記天板部に連設して前記保持体の外周を囲繞する周壁部と、前記保持体の前記挿通部の位置に対応して前記周壁部に形成され前記天板部の前記上部切り欠き部と連通した切れ目部と、を備えたことを特徴とする請求項１に記載の釣竿保持具。
【請求項３】
前記保持体の前記挿通部が、前記保持体の外周端面に向かって拡開した導入部を備えたことを特徴とする請求項１又は２に記載の釣竿保持具。
【請求項４】
前記保持体の前記嵌合孔部が、前記釣竿の前記ロッドの直径よりも小径に形成され、前記保持体の前記挿通部が、前記嵌合孔部よりも幅狭で釣り糸よりも幅広に形成されていることを特徴とする請求項１乃至３の内いずれか１項に記載の釣竿保持具。
【請求項５】
前記保持体の底部側に形設された収容凹部と、前記収容凹部に嵌装された蓋付容器と、を備えたことを特徴とする請求項１乃至４の内いずれか１項に記載の釣竿保持具。
【請求項６】
前記保持体の底部に底板部が固設され、前記底板部が、前記保持体の前記挿通部の位置に対応して外周端から前記保持体の前記嵌合孔部の位置まで前記保持体の前記挿通部と平行に形設された底部切り欠き部を備えたことを特徴とする請求項１乃至４の内いずれか１項に記載の釣竿保持具。
【請求項７】
前記保持体の底部側に形設された収容凹部と、前記保持体の前記収容凹部の位置に対応して前記底板部に形設された底部開口部と、前記底板部の前記底部開口部に開閉自在又は着脱自在に配設された蓋部と、を備えたことを特徴とする請求項６に記載の釣竿保持具。
【考案の詳細な説明】
【技術分野】
【０００１】
本考案は、複数の釣竿のロッドを束ねて確実に固定し、簡便に持ち運ぶことができる釣竿保持具に関する。
【背景技術】
【０００２】
従来、魚釣りをする場合、複数の釣竿を用意することがあるが、袋やケースなどに入れた釣竿が嵩張り、他の釣り道具や荷物などとまとめて一度で持ち運ぶことが困難であるという問題点があった。
また、バス釣りの大会などでは、一人で平均２〜３本の釣竿を使用するが、複数の釣竿を束ねてもバラバラになり易く、他の釣り道具や荷物などと一緒に持ち歩くのは困難であるという問題点があった。
複数の釣竿を束ねて固定する手段として、例えば、（特許文献１）には、表面と裏面の何れか一方に面ファスナーの雄部を設け、他方に面ファスナーの雌部が設けられて表面と裏面が相互に貼着可能なベルトの一端に釣竿係止用凹溝を有する係止部材が設けられていることを特徴とする釣竿携帯用保持具が開示されている。
【先行技術文献】
【特許文献】
【０００３】
【特許文献１】特開平９−２９９００８号
【考案の概要】
【考案が解決しようとする課題】
【０００４】
しかしながら、上記従来の技術は以下のような課題を有していた。
（１）（特許文献１）の釣竿携帯用保持具は、係止部材の釣竿係止用凹溝に釣竿を係止した後、面ファスナーを巻回して、面ファスナーの雄部と雌部を貼着しなければ釣竿を固定することができず、釣竿係止用凹溝に釣竿を係止しただけでは、釣竿の姿勢が安定せず、固定作業性に欠けるという課題を有していた。
（２）また、釣竿係止用凹溝に釣竿を係止した状態で、係止部材と複数の釣竿を片手又は両手で保持しながら、面ファスナーを巻回さなければならず、固定作業が煩雑で、片手が荷物などで塞がっている場合や手が不自由な人には、取扱いが困難で、汎用性、使用性に欠けるという課題を有していた。
（３）係止部材の釣竿係止用凹溝に係止した複数の釣竿の周りにベルトを巻いて面ファスナーで固定するだけなので、固定力が弱く、釣竿係止用凹溝から釣竿が抜け落ちたり、ベルトがずれ落ちたりすることがあり、固定の確実性、安定性に欠けるという課題があった。
（４）係止部材の釣竿係止用凹溝に釣竿のみを係止するので、手での持ち運びや車などによる運搬の途中で、糸同士が絡まることがあり、使用性に欠けるという課題があった。
（５）時間を争う競技会などにおいては、移動や仕掛けの準備に要する時間を少しでも短縮する必要があり、そのために、簡単な作業で釣竿を束ねたり、ばらしたりすることができ、取扱いが容易で、作業性に優れた釣竿保持具の開発が望まれていた。
【０００５】
本考案は、上記課題を解決するもので、ワンタッチで行える簡素な作業で、複数の釣竿を誰でも簡便かつ確実に束ねて持ち運ぶことができ、取扱いが容易で、固定作業性に優れ、釣竿の保持力が強く、固定作業中や搬送中に釣竿が脱落することがなく、固定の確実性、安定性、釣竿の搬送性に優れた釣竿保持具を提供することを目的とする。
【課題を解決するための手段】
【０００６】
本考案の請求項１に記載の釣竿保持具は、複数の釣竿のロッドを着脱自在に保持する釣竿保持具であって、弾性を有する保持体と、前記保持体の中心に挿設された回動軸と、前記保持体に覆設され前記回動軸に回動自在に軸支されたカバー部と、を有し、前記保持体が、同心円上に穿設され前記ロッドが嵌合される複数の嵌合孔部と、各々の前記嵌合孔部と連通して放射状に形設され前記保持体の外周端面に開口したスリット状の挿通部と、を備え、前記カバー部が、前記保持体の上面に配設される天板部と、前記保持体の前記挿通部の位置に対応して前記天板部の外周端から前記保持体の前記嵌合孔部の位置まで前記保持体の前記挿通部と平行に形設された上部切り欠き部と、前記保持体の前記嵌合孔部の位置に対応する前記上部切り欠き部の終端から前記天板部の円周方向に延設された係合溝部と、を備えた構成を有している。
この構成により、以下のような作用を有する。
（１）弾性を有する保持体が、同心円上に穿設され釣竿のロッドが嵌合される複数の嵌合孔部と、各々の嵌合孔部と連通して放射状に形設され保持体の外周端面に開口したスリット状の挿通部と、を有し、保持体に回動自在に覆設されたカバー部が、保持体の上面に配設される天板部と、保持体の挿通部の位置に対応して天板部の外周端から保持体の嵌合孔部の位置まで保持体の挿通部と平行に形設された上部切り欠き部と、を有するので、カバー部を回転させ、保持体の挿通部の位置と、天板部の上部切り欠き部の位置を一致させることにより、各々の釣竿のロッドを保持体の挿通部に挿通することができ、ロッドをカバー部の上部切り欠き部と保持体の挿通部に沿って嵌合孔部の位置まで移動させ、嵌合孔部にロッドを嵌合させて確実に保持することができ、釣竿の固定作業性、固定の確実性に優れる。
（２）カバー部が、保持体の嵌合孔部の位置に対応する上部切り欠き部の終端から天板部の円周方向に延設された係合溝部を有するので、保持体の嵌合孔部にロッドを嵌合させた後、カバー部を回転させることにより、係合溝部をロッドの外周面に係合させ、釣竿が保持体の挿通部から脱落することを防止でき、釣竿の保持安定性に優れる。
（３）保持体が弾性を有することにより、各々の嵌合孔部にロッドを嵌合させて強固に保持することができるので、片手でカバー部を回転させるだけで、誰でも簡単にワンタッチで係合孔部をロッドに係合させて固定することができ、固定作業性に優れる。
【０００７】
ここで、保持体の材質としては、弾性によって釣竿のロッドを保持できるものであればよく、ＥＶＡ樹脂（エチレン−酢酸ビニル共重合樹脂）、ウレタンフォーム、メラミンフォーム、ポリエチレンフォーム、セルローススポンジ等の発泡樹脂或いはシリコンゴム等を発泡させた発泡ゴム等を用いることができる。特に、ＥＶＡ樹脂は、衝撃吸収性、耐水性があり、加工性にも優れるので好適に用いられる。
嵌合孔部の直径は、釣竿のロッドの直径よりもやや小さめに形成することにより、ロッドを確実に保持することができる。また、挿通部の幅を嵌合孔部の直径よりも幅狭に形成することにより、ロッドの抜けを確実に防止できる。
保持体の外形形状は適宜、選択することができるが、円盤状に形成したものが加工性、形状安定性、量産性に優れ、好ましい。
カバー部の材質としては、ポリカーボネート、ポリプロピレン、ポリエチレン、ポリスチレンなどの合成樹脂が好適に用いられる。
カバー部の上部切り欠き部の幅は、釣竿のロッドの直径と同等かそれよりやや幅広に形成することにより、スムーズにロッドを出し入れすることができる。
カバー部の天板部は、保持体の上面を覆って回動軸を中心に回動できるものであればよいので、その外形形状は、保持体と同一である必要はなく、適宜、選択することができる。円形、楕円形、多角形、星形等のほか、これらを組み合わせた形状や様々な動物、キャラクターなどを模した形状に形成することができる。
【０００８】
請求項２に記載の考案は、請求項１の釣竿保持具において、前記カバー部が、前記天板部に連設して前記保持体の外周を囲繞する周壁部と、前記保持体の前記挿通部の位置に対応して前記周壁部に形成され前記天板部の前記上部切り欠き部と連通した切れ目部と、を備えた構成を有している。
この構成により、請求項１の作用に加え、以下のような作用を有する。
（１）カバー部が、天板部に連設して保持体の外周を囲繞する周壁部と、保持体の挿通部の位置に対応して周壁部に形成され天板部の上部切り欠き部と連通した切れ目部を有するので、カバー部を回転させて切れ目部の位置を変えるだけで、保持体の挿通部を開閉することができ、保持体の挿通部の位置と周壁部の切れ目部の位置を一致させた時には、釣竿のロッドを保持体の挿通部に挿抜することができ、保持体の挿通部の位置と周壁部の切れ目部の位置をずらした時には、保持体の挿通部をカバー部の周壁部で塞いで、内部の保持体や保持体に保持された釣竿を保護し、釣竿の傾きや保持体からの脱落を確実に防止することができ、保持体の耐久性、釣竿の保持の信頼性に優れる。
【０００９】
ここで、カバー部の切れ目部の幅は、上部切り欠き部の幅と同等に形成することにより、スムーズにロッドを出し入れすることができる。
カバー部の周壁部は、保持体の外周を囲繞するが、その形状は、保持体に緩衝することなく回動できる範囲で、適宜、選択することができ、保持体の外形形状と必ずしも同一である必要はなく、保持体の外周面と周壁部の内周面との間に隙間や空間があってもよい。例えば、円形の保持体に対しては、周壁部の形状は円筒形のほか、楕円筒形、多角筒形などに形成することができ、多角形や星形等の保持体に対しては、周壁部の形状は円筒形や多角筒形などに形成することができる。
【００１０】
請求項３に記載の考案は、請求項１又は２の釣竿保持具において、前記保持体の前記挿通部が、前記保持体の外周端面に向かって拡開した導入部を備えた構成を有している。
この構成により、請求項１又は２の作用に加え、以下のような作用を有する。
（１）保持体の挿通部が保持体の外周端面に向かって拡開した導入部を有することにより、釣竿のロッドを導入部から挿通部に案内することができ、ロッドの挿通が容易で装着性に優れる。
【００１１】
ここで、導入部は、保持体の挿通部の開口端で、保持体の外周端面に向かって拡開していればよく、その形状は円弧状でも直線状（テーパ状）でもよい。導入部を略Ｖ字状に形成した場合、釣竿のロッドが導入部から速やかに挿通部に向かって移動するので好ましい。尚、導入部の最大幅が釣竿のロッドの直径とほぼ同等になるように形成した場合、ロッドを確実に導入部に押し当てて、挿通部に押し込むことができ、挿通作業性に優れる。
【００１２】
請求項４に記載の考案は、請求項１乃至３の内いずれか１項の釣竿保持具において、前記保持体の前記嵌合孔部が、前記釣竿の前記ロッドの直径よりも小径に形成され、前記保持体の前記挿通部が、前記嵌合孔部よりも幅狭で釣り糸よりも幅広に形成されている構成を有している。
この構成により、請求項１乃至３の内いずれか１項の作用に加え、以下のような作用を有する。
（１）保持体の嵌合孔部が、釣竿のロッドの直径よりも小径に形成されることにより、嵌合孔部でロッドを確実かつ強固に保持することができ、ロッドが嵌合孔部から抜け落ちることがなく、固定の確実性、安定性に優れる。
（２）保持体の挿通部が、嵌合孔部よりも幅狭に形成されることにより、嵌合孔部に嵌合されたロッドが、挿通部側に傾いたり、挿通部から抜け落ちたりすることがなく、ロッドに姿勢保持の信頼性に優れる。
（３）保持体の挿通部が、釣り糸よりも幅広に形成されることにより、釣り糸を傷付けることなく、挿通部を通して嵌合孔部まで導くことができ、釣竿のロッドと共に釣り糸も嵌合孔部で保持することができるので、複数の釣竿の釣り糸同士が絡むことを防止することができ、取扱い性に優れる。
【００１３】
請求項５に記載の考案は、請求項１乃至４の内いずれか１項に記載の釣竿保持具において、前記保持体の底部側に形設された収容凹部と、前記収容凹部に嵌装された蓋付容器と、を備えた構成を有している。
この構成により、請求項１乃至４の内いずれか１項の作用に加え、以下のような作用を有する。
（１）保持体の底部側に形設された収容凹部と、収容凹部に嵌装された蓋付容器を備えることにより、釣りに必要な小物を蓋付容器に収容して釣竿と一緒に持ち運ぶことができ、必要な時は、蓋付容器の蓋を開くか、取り外すだけで、簡便に小物を取り出して使用することができ、機能性、利便性に優れる。
（２）収容凹部に蓋付容器を嵌装することにより、収容凹部の内周面を蓋付容器で補強することができ、蓋付容器に収容する小物などによって保持体が変形したり、破損したりすることがなく、耐久性に優れる。
【００１４】
ここで、収容凹部は、嵌合孔部や挿通部の位置を避けて形設することができる。
蓋付容器の材質としては、ポリカーボネート、ポリプロピレン、ポリエチレン、ポリスチレンなどの合成樹脂が好適に用いられる。
蓋付容器は保持体の弾性を利用して嵌合するだけでもよいし、接着剤などで接着して固定してもよい。また、蓋付容器を着脱自在にした場合、釣竿保持具に複数の釣竿を保持した状態で、蓋付容器のみを取り外して単独で使用することもでき、簡便に小物の出し入れが可能で、汎用性、使用性に優れる。
【００１５】
請求項６に記載の考案は、請求項１乃至４の内いずれか１項の釣竿保持具において、前記保持体の底部に底板部が固設され、前記底板部が、前記保持体の前記挿通部の位置に対応して外周端から前記保持体の前記嵌合孔部の位置まで前記保持体の前記挿通部と平行に形設された底部切り欠き部を備えた構成を有している。
この構成により、請求項１乃至４の内いずれか１項の作用に加え、以下のような作用を有する。
（１）保持体の底部に底板部が固設されることにより、カバー部と底板部で保持体を確実に保護し、保持体の破損を防止できると共に、異物がカバー部の内部に侵入することを防ぎ、異物が挿通部に挟まったり、異物が回動軸の周辺の隙間などに噛み込んでカバー部が回転しなくなったりすることを防止でき、動作の安定性、耐久性に優れる。
（２）底板部が、保持体の挿通部の位置に対応して外周端から保持体の嵌合孔部の位置まで保持体の挿通部と平行に形設された底部切り欠き部を有するので、カバー部を回転させ、保持体の挿通部の位置と、天板部の上部切り欠き部及び底板部の底部切り欠き部の位置を一致させることにより、釣竿のロッドを保持体の挿通部に挿通する際に、底板部が邪魔になることがなく、保持体の上下で上部切り欠き部と底部切り欠き部でロッドを確実に案内しながら挿通部に沿って嵌合孔部の位置までスムーズに移動させることができ、釣竿の挿通作業性に優れる
【００１６】
ここで、底板部の材質としては、カバー部と同様のものが好適に用いられる。
尚、底板部の底部切り欠き部の幅は、カバー部の上部切り欠き部と同様に、釣竿のロッドの直径と同等かそれよりやや幅広に形成することにより、スムーズにロッドを出し入れすることができる。
【００１７】
請求項７に記載の考案は、請求項６に記載の釣竿保持具において、前記保持体の底部側に形設された収容凹部と、前記保持体の前記収容凹部の位置に対応して前記底板部に形設された底部開口部と、前記底板部の前記底部開口部に開閉自在又は着脱自在に配設された蓋部と、を備えた構成を有している。
この構成により、請求項６の作用に加え、以下のような作用を有する。
（１）保持体の底部側に形設された収容凹部と、保持体の収容凹部の位置に対応して底板部に形設された底部開口部と、底板部の底部開口部に開閉自在又は着脱自在に配設された蓋部と、を備えることにより、釣りに必要な小物を収容凹部に収容して釣竿と一緒に持ち運ぶことができ、必要な時は、蓋部を開くか、取り外すだけで、簡便に収容凹部から小物を取り出して使用することができ、機能性、利便性に優れる。
【００１８】
ここで、収容凹部は、嵌合孔部や挿通部の位置を避けて形設することができる。
蓋部は底板部に対してスライドさせて開閉するもの、一端部を底板部に枢軸して回動させて開閉するもの、底板部の底部開口部に嵌合させて着脱するもの、底部開口部に螺合させて着脱するものなどを用いることができる。
【考案の効果】
【００１９】
請求項１に記載の考案によれば、以下のような効果を有する。
（１）カバー部を回転させるだけで、保持体に対して簡便に釣竿のロッドを着脱することができ、釣竿の固定作業性、固定の確実性に優れ、固定した釣竿が傾いたり、保持体から脱落したりすることがなく、釣竿の保持安定性に優れた釣竿保持具を提供することができる。
【００２０】
請求項２に記載の考案によれば、請求項１の効果に加え、以下のような効果を有する。
（１）カバー部を回転させて切れ目部の位置を変えるだけで、保持体の挿通部を開閉することができ、釣竿のロッドを着脱する時以外は、保持体の挿通部をカバー部の周壁部で塞いで、内部の保持体や保持体に保持された釣竿を保護することができ、耐久性、釣竿の保持の信頼性に優れた釣竿保持具を提供することができる。
【００２１】
請求項３に記載の考案によれば、請求項１又は２の効果に加え、以下のような効果を有する。
（１）釣竿のロッドを保持体の導入部から挿通部に向かって確実かつスムーズに案内することができるロッドの挿通が容易で装着性に優れた釣竿保持具を提供することができる。
【００２２】
請求項４に記載の考案によれば、請求項１乃至３の内いずれか１項の効果に加え、以下のような効果を有する。
（１）釣り糸を傷付けることなく、挿通部を通して嵌合孔部まで導くことができ、釣竿のロッドと共に釣り糸も嵌合孔部で保持して、複数の釣竿の釣り糸同士が絡むことを防止できる取扱い性に優れた釣竿保持具を提供することができる。
【００２３】
請求項５に記載の考案によれば、請求項１乃至４の内いずれか１項の効果に加え、以下のような効果を有する。
（１）釣りに必要な小物などを蓋付容器に収容して釣竿と一緒に持ち運ぶことができ、必要な時は、蓋付容器の蓋を開くか、取り外すだけで、簡便に小物を取り出して使用することができる機能性、利便性に優れた釣竿保持具を提供することができる。
【００２４】
請求項６に記載の考案によれば、請求項１乃至４の内いずれか１項の効果に加え、以下のような効果を有する。
（１）カバー部と底板部で保持体を確実に保護して、保持体の破損や異物の侵入を防ぎ、異物が挿通部に挟まったり、異物が回動軸の周辺の隙間などに噛み込んでカバー部が回転しなくなったりすることを防止できる動作の安定性、耐久性に優れた釣竿保持具を提供することができる。
【００２５】
請求項７に記載の考案によれば、請求項６の効果に加え、以下のような効果を有する。
（１）釣りに必要な小物などを収容凹部に収容して釣竿と一緒に持ち運ぶことができ、必要な時は、蓋部を開くか、取り外すだけで、簡便に収容凹部から小物を取り出して使用することができる機能性、利便性に優れた釣竿保持具を提供することができる。
【図面の簡単な説明】
【００２６】
【図１】実施の形態１における釣竿保持具の分解斜視図
【図２】（ａ）実施の形態１における釣竿保持具の平面図  （ｂ）実施の形態１における釣竿保持具の背面図
【図３】（ａ）図２（ａ）のＡ−Ａ線断面図  （ｂ）図２（ａ）のＢ−Ｂ線断面図
【図４】（ａ）実施の形態１における釣竿保持具に釣竿のロッドを保持した状態を示す部分断面拡大平面図  （ｂ）実施の形態１における釣竿保持具に保持した釣竿のロッドをロックした状態を示す部分断面拡大平面図
【図５】実施の形態１における釣竿保持具の使用状態を示す一部破断斜視図
【図６】（ａ）実施の形態２における釣竿保持具の底面図  （ｂ）図６（ａ）のＣ−Ｃ線矢視断面図
【考案を実施するための形態】
【００２７】
（実施の形態１）
本考案の実施の形態１における釣竿保持具について、以下、図面を用いて説明する。
図１は実施の形態１における釣竿保持具の分解斜視図であり、図２（ａ）は実施の形態１における釣竿保持具の平面図であり、図２（ｂ）は実施の形態１における釣竿保持具の背面図であり、図３（ａ）は図２（ａ）のＡ−Ａ線断面図であり、図３（ｂ）は図２（ａ）のＢ−Ｂ線断面図である。
図１及び図２中、１は本考案の実施の形態１における釣竿保持具、２はＥＶＡ樹脂（エチレン−酢酸ビニル共重合樹脂）、ウレタンフォーム、メラミンフォーム、ポリエチレンフォーム、セルローススポンジ等の発布樹脂或いはシリコンゴム等を発泡させた発泡ゴム等で略円盤状に形成され弾性を有する釣竿保持具１の保持体、３は保持体２の同心円上に穿設され釣竿のロッドが嵌合される４箇所の嵌合孔部、４は各々の嵌合孔部３と連通して放射状に形設され保持体２の外周端面に開口したスリット状の挿通部、４ａは挿通部４の開口端が保持体２の外周端面に向かって拡開した導入部、５は保持体２の中心に穿設された保持体中心孔、６はポリカーボネート、ポリプロピレン、ポリエチレン、ポリスチレンなどの合成樹脂で略円板状に形成され保持体２の底部に固設される釣竿保持具１の底板部、６ａは保持体２の挿通部４の位置に対応して底板部６の外周端から保持体２の嵌合孔部３の位置まで保持体２の挿通部４と平行に形設された底部切り欠き部、７は底板部６の中心に穿設された底板中心孔、８はポリカーボネート、ポリプロピレン、ポリエチレン、ポリスチレンなどの合成樹脂で形成され保持体２に回動自在に覆設される釣竿保持具１のカバー部、９は保持体２の外周を囲繞するカバー部８の周壁部、９ａは保持体２の挿通部４の位置に対応して周壁部９に形成された切れ目部、１０は周壁部９に連設して保持体２の上面に配設されるカバー部８の天板部、１０ａは周壁部９の切れ目部９ａと連通して天板部１０の外周端から保持体２の嵌合孔部３の位置まで保持体２の挿通部４と平行に形設された上部切り欠き部、１０ｂは保持体２の嵌合孔部３の位置に対応する上部切り欠き部１０ａの終端から天板部１０の円周方向に延設された係合溝部、１１は天板部１０の中心に穿設されたカバー中心孔、１２ａ，１２ｂはカバー中心孔１１，保持体中心孔５，底板中心孔７に挿設され保持体２及び底板部６に対してカバー部８を回動自在に保持する一対のリベット等を用いた釣竿保持具１の回動軸である。
【００２８】
以上のように構成された本考案の実施の形態１における釣竿保持具の使用方法について説明する。
図４（ａ）は実施の形態１における釣竿保持具に釣竿のロッドを保持した状態を示す部分断面拡大平面図であり、図４（ｂ）は実施の形態１における釣竿保持具に保持した釣竿のロッドをロックした状態を示す部分断面拡大平面図であり、図５は実施の形態１における釣竿保持具の使用状態を示す一部破断斜視図である。
図４及び図５中、２０は釣竿のロッド、２１は釣り糸である。
【００２９】
まず、図４（ａ）に示すように、保持体２の挿通部４の位置とカバー部８の周壁部９の切れ目部９ａの位置を一致させた状態で、釣竿のロッド２０及び釣り糸２１を保持体２の挿通部４から挿通し、嵌合孔部３に嵌合させる。このとき、挿通部４の導入部４ａが保持体２の外周端面に向かって拡開した略Ｖ字状で、最大幅がロッド２０の直径とほぼ同等になるように形成されているので、ロッド２０を確実に導入部４ａに押し当てて、挿通部４に押し込むことができる。尚、挿通部４の幅は嵌合孔部３よりも幅狭で釣り糸２１よりも幅広に形成し、挿通部４からのロッド２０の抜けを防止した。また、保持体２の嵌合孔部３の直径は、ロッド２０の直径よりもやや小さめに形成し、保持体２の弾性により嵌合孔部３を変形させて、ロッド２０を確実に保持できるようにした。
【００３０】
各々の嵌合孔部３にロッド２０を嵌合させた後、図４（ａ）の矢印の方向にカバー部８を回転させることにより、図４（ｂ）の状態となる。
図４（ｂ）において、保持体２の挿通部４の導入部４ａ（開口端）はカバー部８の周壁部９で塞がれ、ロッド２０はカバー部８の係合孔部１０ｂに係合してロックされた状態となっている。
これにより、図５に示すように、複数の釣竿のロッド２０の先端側を釣竿保持具１に固定することができ、複数の釣竿を１つにまとめて簡便に持ち運ぶことができる。
尚、底板部６の底部切り欠き部６ａ及びカバー部８の切れ目部９ａ，上部切り欠き部１０ａ，係合孔部１０ｂの幅は、いずれも釣竿のロッド２０の直径よりやや幅広に形成し、ロッド２０をスムーズに出し入れできるようにした。本実施の形態では、底板部６を設けたが、保持体２が合成ゴムなどで形成され、ある程度の剛性を有する場合には、底板部６を省略することもできる。
【００３１】
本実施の形態では、保持体２を略円盤状に形成したが、保持体２の形状はこれに限定されるものではなく、適宜、選択することができる。尚、１つの保持体２に複数の嵌合孔部３，挿通部４，導入部４ａを形成する代わりに、保持体を複数に分割してもよいし、嵌合孔部３，挿通部４，導入部４ａを１つずつ形成した複数の保持体を同心円上に並べてもよい。
また、本実施の形態では、外形形状が略円盤状に形成された保持体２に合わせて、カバー部８を円筒状に形成したが、カバー部８は、保持体２を覆って回動軸１２ａ，１２ｂを中心に回動できるものであればよいので、カバー部８の周壁部９や天板部１０の形状は保持体２の外形形状と同じである必要はなく、適宜、選択することができる。例えば、楕円形、多角形、星形等のほか、これらを組み合わせた形状や様々な動物、キャラクターなどを模した形状に形成することができる。また、周壁部９を省略することもできる。
【００３２】
以上のように構成された本考案の実施の形態１における釣竿保持具によれば、以下の作用を有する。
（１）弾性を有する円盤状の保持体が、同心円上に穿設され釣竿のロッドが嵌合される複数の嵌合孔部と、各々の嵌合孔部と連通して放射状に形設され保持体の外周端面に開口したスリット状の挿通部と、を有し、保持体に回動自在に覆設されたカバー部が、保持体の外周を囲繞する周壁部と、保持体の挿通部の位置に対応して周壁部に形成された切れ目部と、周壁部に連設して保持体の上面に配設される天板部と、周壁部の切れ目部と連通して天板部の外周端から保持体の嵌合孔部の位置まで保持体の挿通部と平行に形設された上部切り欠き部と、を有するので、カバー部を回転させ、保持体の挿通部の位置と、周壁部の切れ目部の位置を一致させることにより、各々の釣竿のロッドをカバー部の切れ目部から保持体の挿通部に挿通することができ、ロッドをカバー部の上部切り欠き部と保持体の挿通部に沿って嵌合孔部の位置まで移動させ、嵌合孔部にロッドを嵌合させて確実に保持することができ、釣竿の固定作業性、固定の確実性に優れる。
（２）カバー部が、保持体の嵌合孔部の位置に対応する上部切り欠き部の終端から天板部の円周方向に延設された係合溝部を有するので、保持体の嵌合孔部にロッドを嵌合させた後、カバー部を回転させることにより、係合溝部をロッドの外周面に係合させることができると共に、保持体の挿通部をカバー部の周壁部で塞ぐことができ、釣竿が傾いたり、保持体から脱落したりすることがなく、釣竿の保持安定に優れる。
（３）保持体が弾性を有することにより、各々の嵌合孔部にロッドを嵌合させて強固に保持することができるので、片手でカバー部を回転させるだけで、誰でも簡単にワンタッチで係合孔部をロッドに係合させて固定することができ、固定作業性に優れる。
（４）保持体の挿通部が保持体の外周端面に向かって拡開した導入部を有することにより、釣竿のロッドを導入部から挿通部に案内することができ、ロッドの挿通が容易で装着性に優れる。
（５）保持体の嵌合孔部が、釣竿のロッドの直径よりも小径に形成されることにより、嵌合孔部でロッドを確実かつ強固に保持することができ、ロッドが嵌合孔部から抜け落ちることがなく、固定の確実性、安定性に優れる。
（６）保持体の挿通部が、嵌合孔部よりも幅狭に形成されることにより、嵌合孔部に嵌合されたロッドが、挿通部側に傾いたり、挿通部から抜け落ちたりすることがなく、ロッドに姿勢保持の信頼性に優れる。
（７）保持体の挿通部が、釣り糸よりも幅広に形成されることにより、釣り糸を傷付けることなく、挿通部を通して嵌合孔部まで導くことができ、釣竿のロッドと共に釣り糸も嵌合孔部で保持することができるので、複数の釣竿の釣り糸同士が絡むことを防止することができ、取扱い性に優れる。
（８）保持体の底部に底板部が固設されることにより、カバー部と底板部で保持体を確実に保護し、保持体の破損を防止できると共に、異物がカバー部の内部に侵入することを防ぎ、異物が挿通部に挟まったり、異物が回動軸の周辺の隙間などに噛み込んでカバー部が回転しなくなったりすることを防止でき、動作の安定性、耐久性に優れる。
（９）底板部が、保持体の挿通部の位置に対応して外周端から保持体の嵌合孔部の位置まで保持体の挿通部と平行に形設された底部切り欠き部を有するので、カバー部を回転させ、保持体の挿通部の位置と、周壁部の切れ目部の位置を一致させることにより、カバー部の上部切り欠き部の位置と底板部の底部切り欠き部の位置も一致させることができ、釣竿のロッドをカバー部の切れ目部から保持体の挿通部に挿通する際に、底板部が邪魔になることがなく、保持体の上下で上部切り欠き部と底部切り欠き部でロッドを確実に案内しながら挿通部に沿って嵌合孔部の位置までスムーズに移動させることができ、釣竿の挿通作業性に優れる
【００３３】
（実施の形態２）
実施の形態２における釣竿保持具について、以下、図面を用いて説明する。尚、実施の形態１と同様のものには同一の符号を付して説明を省略する。
図６（ａ）は実施の形態２における釣竿保持具の底面図であり、図６（ｂ）は図６（ａ）のＣ−Ｃ線矢視断面図である。
図６において、実施の形態２における釣竿保持具１Ａが実施の形態１と異なるのは、保持体２Ａの底部側に収容凹部２ａが形設されている点と、保持体２Ａの収容凹部２ａの位置に対応して底板部６Ａに底部開口部６ｂが形設されている点と、底板部６Ａの底部開口部６ｂに蓋部１３が着脱自在に配設されている点である。
これにより、錘などの釣りに必要な小物を収容凹部２ａに収容して釣竿と一緒に持ち運ぶことができ利便性に優れる。
【００３４】
本実施の形態では、底板部６Ａの底部開口部６ｂに嵌合させて着脱する蓋部１３を用いたが、蓋部はこれに限定されるものではなく、底部開口部６ｂに螺合させて着脱するもの、底板部６Ａに対してスライドさせて開閉するもの、一端部を底板部６Ａに枢軸して回動させて開閉するものなどを用いることができる。また、底板部６Ａを省略し、収容凹部２ａに直接、蓋をしてもよいし、収容凹部２ａに蓋付容器を嵌装してもよい。
尚、その他の点については実施の形態１における釣竿保持具１と同様であり、使用方法も同様であるので、説明を省略する。
【００３５】
以上のように構成された本考案の実施の形態２における釣竿保持具によれば、実施の形態１と同様の作用に加え、以下の作用を有する。
（１）保持体の底部側に形設された収容凹部と、保持体の収容凹部の位置に対応して底板部に形設された底部開口部と、底板部の底部開口部に開閉自在又は着脱自在に配設された蓋部と、を備えることにより、釣りに必要な小物を収容凹部に収容して釣竿と一緒に持ち運ぶことができ、必要な時は、蓋部を開くか、取り外すだけで、簡便に収容凹部から針や錘などの小物を取り出して使用することができ、機能性、利便性に優れる。
【産業上の利用可能性】
【００３６】
本考案は、ワンタッチで行える簡素な作業で、複数の釣竿を誰でも簡便かつ確実に束ねて持ち運ぶことができ、取扱いが容易で、固定作業性に優れ、釣竿の保持力が強く、固定作業中や搬送中に釣竿が脱落することがなく、固定の確実性、安定性、釣竿の搬送性に優れた釣竿保持具を提供することができ、魚釣り人口の増加に貢献することができる。
【００３７】
１，１Ａ  釣竿保持具
２，２Ａ  保持体
２ａ  収容凹部
３  嵌合孔部
４  挿通部
４ａ  導入部
５  保持体中心孔
６，６Ａ  底板部
６ａ  底部切り欠き部
６ｂ  底部開口部
７  底板中心孔
８  カバー部
９  周壁部
９ａ  切れ目部
１０  天板部
１０ａ  上部切り欠き部
１０ｂ  係合溝部
１１  カバー中心孔
１２ａ，１２ｂ  回動軸
１３  蓋部
２０  ロッド
２１  釣り糸
【図１】
0003159100.tif 000003
【図２】
0003159100.tif 000004
【図３】
0003159100.tif 000005
【図４】
0003159100.tif 000006
【図５】
0003159100.tif 000007
【図６】
0003159100.tif 000008